(57)【特許請求の範囲】
【請求項１】
可動式間仕切壁（６・７）の下部に移動輪としてのキャスター（２２）と昇降装置（２１）を配置し、該昇降装置（２１）により上昇時に天井に対して可動式間仕切壁（６・７）を当接させ、天井と床面の間で突っ張らせる間仕切壁において、該可動式間仕切壁（６・７）の側端面には、凹状部材として溝型鋼（３）を固設し、該溝型鋼（３）の凹部底面に板状の蝶番ガイド（４０）を配置し、該蝶番ガイド（４０）には上下方向の係止溝（４１）を設け、該係止溝（４１）は円柱状で外方向に開放された構成とし、該可動式間仕切壁（６・７）を直角に配置した場合には、該係止溝（４１）に、平面視「Ｌ」形に構成した連結具（７０）の両側を係合して、隣接する壁体を直角に連結すべく構成し、該「Ｌ」形連結具（７０）は、端部を円柱状の係止部（７１）を構成し、該係止部（７１）は、前記蝶番ガイド（４０）の係止溝（４１）に挿嵌して摺動可能とし、該蝶番ガイド（４０）の係止溝（４１）は、上下方向の長さを、該「Ｌ」形連結具（７０）よりも長く構成し、該可動式間仕切壁（６・７）を直線的に配置する場合は、対向して配置した凹状部材である溝型鋼（３）の一方にガイド具（９）を固定して突設し、他方の凹状部材である溝型鋼（３）に嵌合させて固定することを特徴とする間仕切壁。
【発明の詳細な説明】
【０００１】
【発明の属する技術分野】
本発明は、間仕切壁の連設部の構成に関する。
【０００２】
【従来の技術】
従来の間仕切壁の施工においては、たとえば、壁パネルを床及び天井にビス打ちされたランナーやレールに立てこむという形態がとられていた。該壁パネルは、移動可能とするために、単に板体を張り合わせるなどして簡易的に構成したものであり、作り付けの壁（建築壁）と比べて質感及び遮音性が乏しいものであった。さらに、間仕切りを変更する際には、必然的にランナーやレールを取り外すこととなり、取り外した後は、ビス跡等が残ってしまい、内装を痛めてしまうことがあったのである。そして、壁パネルの配置は、ランナーやレールの配置によって限定されてしまうため、間仕切りの構成の自由度が少なかったのである。上記作業は、入念な大工工事によらなければ精度のよい立てつけが出来ず、居住者が簡単に出来るものではなかったのである。また、壁体を移動させる際には、持ち上げて移動させるため、作業者の負担となるものであった。
【０００３】
【発明が解決しようとする課題】
従来技術の不具合点に鑑みて、本発明はランナーやレールを床及び天井に取り付けることなく、居住者が簡単に、精度よく間仕切壁の立てつけを行えることを課題とする。とくに、間仕切壁を精度よく配列するための、連結具を提案するものである。
【０００４】
【課題を解決するための手段】
本発明の解決しようとする課題は以上のごとくであり、次に該課題を解決する為の手段を説明する。
【０００５】
可動式間仕切壁（６・７）の下部に移動輪としてのキャスター（２２）と昇降装置（２１）を配置し、該昇降装置（２１）により上昇時に天井に対して可動式間仕切壁（６・７）を当接させ、天井と床面の間で突っ張らせる間仕切壁において、該可動式間仕切壁（６・７）の側端面には、凹状部材として溝型鋼（３）を固設し、該溝型鋼（３）の凹部底面に板状の蝶番ガイド（４０）を配置し、該蝶番ガイド（４０）には上下方向の係止溝（４１）を設け、該係止溝（４１）は円柱状で外方向に開放された構成とし、該可動式間仕切壁（６・７）を直角に配置した場合には、該係止溝（４１）に、平面視「Ｌ」形に構成した連結具（７０）の両側を係合して、隣接する壁体を直角に連結すべく構成し、該「Ｌ」形連結具（７０）は、端部を円柱状の係止部（７１）を構成し、該係止部（７１）は、前記蝶番ガイド（４０）の係止溝（４１）に挿嵌して摺動可能とし、該蝶番ガイド（４０）の係止溝（４１）は、上下方向の長さを、該「Ｌ」形連結具（７０）よりも長く構成し、該可動式間仕切壁（６・７）を直線的に配置する場合は、対向して配置した凹状部材である溝型鋼（３）の一方にガイド具（９）を固定して突設し、他方の凹状部材である溝型鋼（３）に嵌合させて固定するものである。
【０００６】
【発明の実施の形態】
次に、本発明の実施の形態を、図面に基づいて説明する。図１は可動式間仕切壁の側面、図２は同じく斜視図、図３は蝶番ガイドの平面図、図４は同じく側面図、図５は可動式間仕切パネルに蝶番ガイドを固設した状態を表す斜視図、図６は「Ｌ」形連結具の平面図、図７は同じく側面図、図８は「Ｌ」形連結具を取り付けた状態を表す斜視図、図９は「Ｌ」形連結具を上下に摺動させる図、図１０は同じく平面断面図、図１１はガイド具の取付け部の平面断面図、図１２はガイド具の代わりとしてダボを用いた実施例を表す平面断面図、図１３は「Ｌ」形に可動式間仕切壁を構成した図、図１４は複数の可動式間仕切壁を直角に配設した図、図１５は複数の可動式間仕切壁を連接して出隅を形成した図である。
【０００７】
まず、図１を用いて一体型可動式間仕切壁１の概要について説明する。図１に示すように、一体型可動式間仕切壁１は、二枚の壁体となる可動式間仕切壁６・７を連設することで構成されている。該可動式間仕切壁６・７は、グラスウール等の吸音材１１を、二枚の木製又は石膏ボード等の化粧板１０・１０で挟むようにして構成されている。該吸音材１１の端面には、凹状部材として溝型鋼３（図５に示す）が取り付けられ、二枚の化粧板１０・１０に内装される構成としている。上下中央部には、補強板８を横木として内装し、壁全体の強度を向上させている。そして、後述する連結具を取り付ける蝶番ガイド４０・４０・・・と、隣接する可動式間仕切壁６・７を水平に配列させるためのガイド具９・９・・・（後述する）を、前記溝型鋼３の上部及び下部の二箇所に配設している。但し、この配置数は１以上として限定するものではない。
【０００８】
そして、該可動式間仕切壁６・７の上部には、押しバネ４・４により上下方向に可動とする幕板２が配設されている。一方、該可動式間仕切壁６・７の下部には、昇降装置２１・２３及び移動輪としての移動キャスター２２・２２を内装した昇降部２０が配設されている。このように構成し、本実施例の可動式間仕切壁６・７は、キャスター２２・２２によって移動可能とし、さらに該昇降装置２１により昇降可能とすることで、上昇時に天井に対して前記幕板２を当接させることによって、天井と床面の間で突っ張らせることによって設置するものである。また、可動式間仕切壁７の右端面には、調整間柱１７及び伸縮装置１６を内装した横幅伸縮部１５が、取り外し可能に配設されている。
【０００９】
そして、図２に示されるように、以上のごとく構成された一体型可動式間仕切壁１は、二枚の可動式間仕切壁６・７の開閉角度を設定して間仕切りを行うものである。
【００１０】
まず、図３及び図４を用いて、蝶番ガイド４０について説明する。該蝶番ガイド４０の表面には、側面視において中央に上部から下部にかけて円柱状で外方向に開放された係止溝４１が形成されている。該係止溝４１の下部には、係止板４２が配設され、該係止板４２により、係止溝４１の下端を塞いで閉じた構成としている。さらに、該蝶番ガイド４０の表面には、ボルト挿嵌孔４３・４３が複数（本実施例で四箇所）穿設されている。該蝶番ガイド４０は、金属製としてもよいし、また合成樹脂等を素材として用いてもよい。また、該蝶番ガイド４０は上下方向の長さを後述する「Ｌ」形連結具７０よりも長く構成している。これは、前述の昇降装置２１によって、連結される可動式間仕切壁６・７の高さが異なる際には、一方の蝶番ガイド４０が「Ｌ」形連結具７０を押し上げることとなるため、「Ｌ」形連結具７０がもう一方（低い位置にある可動式間仕切壁）の蝶番ガイド４０の係止溝４１から外れないように、蝶番ガイド４０上での摺動の幅を大きくとるためである。
【００１１】
また、図５に示すごとく、吸音材１１・１１の横幅は、化粧板１０・１０よりも短く構成して、端部は平面視「コ」形の溝型鋼３で構成することにより、可動式間仕切壁６・７の端部は、該溝型鋼３を化粧板１０・１０で内装する構成としている。尚、該溝型鋼３は「コ」形に限ることなく、いわゆるＣチャンネル（リップ溝型鋼）でもよい。そして、該溝型鋼３の底面に、前記蝶番ガイド４０を固設させる。固設された状態では、該蝶番ガイド４０は、化粧板１０・１０の間に完全に内装される構成としている。
【００１２】
次に、図６および図７を用いて、連結具として用いられる平面視「Ｌ」形に構成した連結具（以下「Ｌ」形連結具７０とする）について説明する。該「Ｌ」形連結具７０は平面視において、略「Ｌ」字形をなしており、端部を円柱状の係止部７１・７１としている。該係止部７１・７１は、前記蝶番ガイド４０の係止溝４１に挿嵌され、摺動可能となるように構成されるものである。該「Ｌ」形連結具７０は、金属製としてもよいし、また合成樹脂等を部材として用いてもよい。
【００１３】
以上のごとく構成された「Ｌ」形連結具７０を使用して、二枚の可動式間仕切壁６・７を直角に配設する実施例を図８乃至図１０を用いて説明する。図８に示すごとく、可動式間仕切壁６・７を直角となるように配設する。そして、蝶番ガイド４０の係止溝４１に、「Ｌ」形連結具７０の係止部７１・７１を合わせるようにして、蝶番ガイド４０の上から該「Ｌ」形連結具７０を挿入するのである。
【００１４】
また、前述のごとく、本実施例の可動式間仕切壁６・７は天井と床面の間を突っ張らせて設置するため、可動式間仕切壁６・７の昇降作業の際には、必然的にお互いの蝶番ガイド４０・４０の高さが異なることになる。図９に示すように、可動式間仕切壁６が前記昇降装置２１によって上に移動した場合は、「Ｌ」形連結具７０は、蝶番ガイド４０に対して、摺動自由に挿嵌されているので、可動式間仕切壁６の蝶番ガイド４０の係止板４２に係止することで上に持ち上げられるのである。すなわち、「Ｌ」形連結具７０は、可動式間仕切壁６・７を上下方向に個別に昇降可能としたまま連結をしているのである。さらに、前述のごとく、該蝶番ガイド４０は上下方向の長さを「Ｌ」形連結具７０よりも長く構成しているので、該「Ｌ」形連結具７０が蝶番ガイド４０から外れてしまうことがないのである。
【００１５】
こうして、図１０に示されるごとく、二枚の可動式間仕切壁６・７が精度よく直角に配設され、図１３に示すごとく、「Ｌ」形の一体型可動式間仕切壁１を形成するのである。また、「Ｌ」形に構成することによって自立することが出来るので、転倒する心配をすることなく、移動させることが出来るのである。
【００１６】
次に、図１１を用いてガイド具９について説明する。該ガイド具９は、本実施例においては図１１に示すごとく、金属板を平面断面視において「コ」形となるように折り曲げて構成したもので、可動式間仕切壁７の溝型鋼３に固設されている。そして、図中左側の端部を溝型鋼３から突出させ、可動式間仕切壁６の溝型鋼３に嵌合させることによって、隣接する可動式間仕切壁６・７で精度よく水平面を構成することが出来る（通りをよくすることが出来る）のである。なお、該ガイド具９の代用として、図１２に示されるごとく、ダボ７５を用いて、より構造を簡単にしてもよい。この場合は、可動式間仕切壁６・７の溝型鋼３に固設した角材７６にダボ穴７７を穿設し、該ダボ穴７７にダボ７５を脱着可能に嵌合させるのである。尚、本実施例では、可動式間仕切壁６のダボ穴７７は上下方向に長穴となるように構成し、前述のごとくの壁体を昇降させる際に、ダボ７５を取り外すことなく昇降を可能にしている。
【００１７】
以上のごとく、「Ｌ」形連結具７０及びガイド具９により、複数の可動式間仕切壁６・７を精度よく連設させることができるのである。たとえば、図１４に示すごとく、直角を構成する部分には「Ｌ」形連結具７０を用い、水平に配設する際にはガイド金具９によって、複数の可動式間仕切壁６・７によって立て付けのよい間仕切壁を構成することができるのである。さらに複数連設して、図１５に示すごとく、精度よく出隅１２・１２を形成することもできるのである。なお、複数の一体型可動式間仕切壁１・１・・・を複数配設する際は、前記横幅伸縮部１５を取り外して、追加して連設される一体型可動式間仕切壁１を配設するものとする。
【００１８】
【発明の効果】
本発明は以上のごとく構成したので、次のような効果を奏するのである。可動式間仕切壁（６・７）の下部に移動輪としてのキャスター（２２）と昇降装置（２１）を配置し、該昇降装置（２１）により上昇時に天井に対して可動式間仕切壁（６・７）を当接させ、天井と床面の間で突っ張らせる間仕切壁において、該可動式間仕切壁（６・７）の側端面には、凹状部材として溝型鋼（３）を固設し、該溝型鋼（３）の凹部底面に板状の蝶番ガイド（４０）を配置し、該蝶番ガイド（４０）には上下方向の係止溝（４１）を設け、該係止溝（４１）は円柱状で外方向に開放された構成とし、該可動式間仕切壁（６・７）を直角に配置した場合には、該係止溝（４１）に、平面視「Ｌ」形に構成した連結具（７０）の両側を係合して、隣接する壁体を直角に連結すべく構成し、該「Ｌ」形連結具（７０）は、端部を円柱状の係止部（７１）を構成し、該係止部（７１）は、前記蝶番ガイド（４０）の係止溝（４１）に挿嵌して摺動可能とし、該蝶番ガイド（４０）の係止溝（４１）は、上下方向の長さを、該「Ｌ」形連結具（７０）よりも長く構成したので、隣り合う可動式間仕切壁を精度よく直角に配設させることができるのである。すなわち、可動式間仕切壁を規則正しく配設させることができるので、間仕切壁全体の美観を向上させることができるのである。
また、壁体を連結する作業、および切り離す作業においては、「Ｌ」形のプレートを嵌脱するだけでよいので、作業者は工具を使用することなく簡単に作業をすることができるのである。
そして、以上の作業は居住者によって簡単に行うことができるのである。すなわち、従来の技巧が必要な大工工事によることなくなるので、居住者は気軽に間仕切りの変更を行うことができるのである。
【００１９】
また、該可動式間仕切壁（６・７）を直線的に配置する場合は、対向して配置した凹状部材である溝型鋼（３）の一方にガイド具（９）を固定して突設し、他方の凹状部材である溝型鋼（３）に嵌合させて固定するので、精度のよい立て付けをすることができるのである。すなわち、可動式間仕切壁を規則正しく配設させることができるので、間仕切壁全体の美観を向上させることができるのである。
そして、以上の作業は居住者によって簡単に行うことができるのである。すなわち、従来の技巧が必要な大工工事によることなくなるので、居住者は気軽に間仕切りの変更を行うことができるのである。
【図面の簡単な説明】
【図１】  可動式間仕切壁の側面図である。
【図２】  同じく斜視図である。
【図３】  蝶番ガイドの平面図である。
【図４】  同じく側面図である。
【図５】  可動式間仕切パネルに蝶番ガイドを固設した状態を表す斜視図である。
【図６】  「Ｌ」形連結具の平面図である。
【図７】  同じく側面図である。
【図８】  「Ｌ」形連結具を取り付けた状態を表す斜視図である。
【図９】  「Ｌ」形連結具を上下に摺動させる図である。
【図１０】  同じく平面断面図である。
【図１１】  ガイド具の取付け部の平面断面図である。
【図１２】  ガイド具の代わりとしてダボを用いた実施例を表す平面断面図である。
【図１３】  「Ｌ」形に可動式間仕切壁を構成した図である。
【図１４】  複数の可動式間仕切壁を直角に配設した図である。
【図１５】  複数の可動式間仕切壁を連接して出隅を形成した図である。
【符号の説明】
１  一体型可動式間仕切壁
６  可動式間仕切壁
７  可動式間仕切壁
９  ガイド具
４０  蝶番ガイド
４１  係止溝
４２  係止板
７０  「Ｌ」形連結具
【図１】
0003872939.tif 000002
【図２】
0003872939.tif 000003
【図３】
0003872939.tif 000004
【図４】
0003872939.tif 000005
【図５】
0003872939.tif 000006
【図６】
0003872939.tif 000007
【図７】
0003872939.tif 000008
【図８】
0003872939.tif 000009
【図９】
0003872939.tif 000010
【図１０】
0003872939.tif 000011
【図１１】
0003872939.tif 000012
【図１２】
0003872939.tif 000013
【図１３】
0003872939.tif 000014
【図１４】
0003872939.tif 000015
【図１５】
0003872939.tif 000016